(57)【要約】【課題】  店舗にて、購入者が購入した食品の商品情報を購入者の冷蔵庫に容易に記録することができ、冷蔵庫の庫内における食品在庫管理と消費期限管理が容易に行える冷蔵庫収納品管理システムを提供する。【解決手段】  本発明の冷蔵庫収納品管理システムは、商品販売システム、携帯情報端末及び収納品を管理する冷蔵庫からなる冷蔵庫収納品管理システムであって、商品販売システムは、非接触通信手段及び商品識別情報読取手段を有し、冷蔵庫は、非接触通信手段、収納品情報記憶手段及び収納品情報表示手段を有し、携帯情報端末は、非接触通信手段及び情報記憶手段を有し、商品販売システムの非接触通信手段又は冷蔵庫の非接触通信手段との間で、商品情報または収納品情報を送受信するものであり、冷蔵庫は、携帯情報端末が商品購入時に受信した商品情報に基づき、収納品情報表示手段により、収納品を管理することを特徴とする。【選択図】  図１
2014085043.tif 000002
【特許請求の範囲】
【請求項１】
商品販売システム、携帯情報端末及び収納品を管理する冷蔵庫からなる冷蔵庫収納品管理システムであって、
前記商品販売システムは、非接触通信手段及び商品識別情報読取手段を有し、
前記冷蔵庫は、非接触通信手段、収納品情報記憶手段及び収納品情報表示手段を有し、
前記携帯情報端末は、非接触通信手段及び情報記憶手段を有し、前記商品販売システムの非接触通信手段又は前記冷蔵庫の非接触通信手段との間で、商品情報または収納品情報を送受信するものであり、
前記冷蔵庫は、前記携帯情報端末が商品購入時に受信した商品情報に基づき、収納品情報表示手段により、収納品を管理することを特徴とする冷蔵庫収納品管理システム。
【請求項２】
前記非接触通信手段は、ＩＳＯ／ＩＥＣ  １８０９２またはＩＳＯ／ＩＥＣ  ２１４８１に基づく近距離無線通信を行うことを特徴とする請求項１に記載の冷蔵庫収納品管理システム。
【請求項３】
前記携帯情報端末は、前記非接触通信手段による電子マネー機能を備え、
前記商品販売システムへの電子マネー支払時に、前記商品販売システムから購入した商品の商品情報を得ることを特徴とする請求項２に記載の冷蔵庫収納品管理システム。
【請求項４】
ＰＯＳ端末装置と商品情報記録手段からなる商品販売システムであって、
前記ＰＯＳ端末装置は、商品識別情報読取手段と非接触通信手段を備え、
前記ＰＯＳ端末装置は、前記商品識別情報読取手段で識別した商品の前記商品情報を前記商品情報記録手段に紹介し、前記商品情報記録手段から得られた商品情報を前記非接触通信手段に送信させることを特徴とする商品販売システム。
【請求項５】
収納品情報表示手段を備えた冷蔵庫であって、
収納品の消費期限を受信する非接触通信手段と、
前記冷蔵庫の収納品の消費期限を記憶する収納品情報記憶手段を備え、
前記収納品情報表示手段は、前記収納品情報記憶手段に記憶された収納品の消費期限を表示することを特徴とする冷蔵庫。
【発明の詳細な説明】
【技術分野】
【０００１】
本発明は、冷蔵庫に収納する食品の在庫と消費期限などを管理する冷蔵庫収納品管理システムに関する。
【背景技術】
【０００２】
近年の冷蔵庫は、庫内の容量が大型化しており、食品を冷蔵庫に保存する場合、まとめ買い等により、食品を沢山入れてしまうことから管理がしにくくなっている。更に、テレビ、本、雑誌等で健康、ダイエット等を含めた多種多様な食材の調理方法が紹介され、冷蔵庫に入れる食品も多種多様化してきている。
【０００３】
しかし、食品には消費期限があることから、冷蔵庫の利用者は、食品の消費期限を気にする必要があるが、沢山の食品が庫内に入っていると日々の管理が行き届かず、また、日々の管理には時間がかかりなど、非常に煩わしいものとなってきている。そこで、冷蔵庫に収納する食品の品目、消費期限などの食品に関する情報を冷蔵庫に記憶させ、庫内の食品を管理するシステムが多くの提案されている。
【０００４】
特開平１１−２２３４４３号公報（特許文献１）には、図７に示すようにスーパーマーケット等に設置されたバーコードリーダ７０２とカードリーダライタ７０３を備えたＰＯＳ（Point  Of  Sale）端末装置７０１と、顧客の家庭に設置された収納品管理装置７０５を備えた冷蔵庫７０４と、ＩＣカード７０６とからなる冷蔵庫収納品管理システムが開示されている。スーパーマーケットで購入した食品データは利用者のＰＯＳ端末装置７０１によってＩＣカード７０６に記録される。一方、冷蔵庫７０４には、収納品管理装置７０５が取り付けられており、ＩＣカード挿入口７０７、表示部７０８と不図示の入力部、演算制御部、記憶部を備えている。購入した食品データの記録されたＩＣカード７０６をＩＣカード挿入口７０７に挿入すると表示部７０８に食品データが表示される仕組みである。また、データの削除は、入力部に備えられているキーを操作して行うものである。
【０００５】
また、特開２００４−１５６７９２号公報（特許文献２）には、図８に示すように、家庭の冷蔵庫８０１に通信制御手段を有し、店舗から送信される商品情報を収納品情報として取得して保存するための収納品情報記憶手段８０５と、収納品情報の表示を行うための収納品情報表示手段８０６を備え、店舗には、冷蔵庫８０１に係わる識別情報を記録するための携帯可能な冷蔵庫識別情報記録手段８０２と、冷蔵庫識別情報記録手段８０２に記録された識別情報を読み込むための冷蔵庫識別情報取得手段８０３と、購入した商品に係わる商品情報を記録する商品情報記録手段８０７と、通信網を介して冷蔵庫８０１に該商品情報を送信するための商品情報取得手段８０４を具備した、冷蔵庫収納品管理システムが開示されている。通信網としては、店舗、家庭にそれぞれルータ８０８、８１２とサーバ８０９、８１１を経由するインターネット網８１０である。店舗から、購入者の冷蔵庫８０１に購入した食品に関する情報を送信することにより、家庭では、購入した食品の冷蔵庫８０１内の管理を行うことが可能である。
【先行技術文献】
【特許文献】
【０００６】
【特許文献１】特開平１１−２２３４４３号公報
【特許文献２】特開２００４−１５６７９２号公報
【発明の概要】
【発明が解決しようとする課題】
【０００７】
しかしながら、特許文献１では、ＩＣカード７０６は、商品を購入する度にＰＯＳ端末装置７０１のカードリーダライタ７０３に挿入し、食品の情報を読み取った後、冷蔵庫７０４のＩＣカード挿入口７０７に挿入して、冷蔵庫７０４食品の情報を記憶させる必要があった。ＩＣカード７０６は、カードリーダライタ７０３とＩＣカード挿入口７０７で、それぞれ抜き差しが必要であり、作業が煩わしいという問題があった。
【０００８】
特許文献２では、購入した食品の商品情報をインターネット網８１０経由で通信制御手段を有する冷蔵庫８０１へ店舗から送信される。店舗としては、ＩＰアドレスやメールアドレスと個人情報の管理維持が必要であり、更に誤送信の防止等の必要があるという問題があった。また、購入者においても、店舗から送られてくる購入した商品情報を冷蔵庫８０１にて受信するために、ネットワークと受信の事前設定を行う必要があり不便であった。また、何を購入したかは個人情報であり、公共のインターネット網を経由して送受信することから、第三者に個人情報が漏れる危険性もあった。
【０００９】
本発明は、上記の課題に鑑みてなされたものであり、購入した食品の商品情報を店舗から携帯情報端末に、次に携帯情報端末から冷蔵庫に容易に転送でき、管理が容易な冷蔵庫収納品管理システムを提供するものである。
【課題を解決するための手段】
【００１０】
本発明に係る冷蔵庫収納品管理システムは、商品販売システム、携帯情報端末及び収納品を管理する冷蔵庫からなる冷蔵庫収納品管理システムであって、商品販売システムは、非接触通信手段及び商品識別情報読取手段を有し、冷蔵庫は、非接触通信手段、収納品情報記憶手段及び収納品情報表示手段を有し、携帯情報端末は、非接触通信手段及び情報記憶手段を有し、商品販売システムの非接触通信手段又は冷蔵庫の非接触通信手段との間で、商品情報または収納品情報を送受信するものであり、冷蔵庫は、携帯情報端末が商品購入時に受信した商品情報に基づき、収納品情報表示手段により、収納品を管理することを特徴とする。
【発明の効果】
【００１１】
本発明によれば、購入した食品の商品情報を店舗から携帯情報端末に、次に携帯情報端末から冷蔵庫に容易に転送でき、冷蔵庫にて購入した食品の管理を容易に行うことができる。
【図面の簡単な説明】
【００１２】
【図１】本発明の第１実施例となる冷蔵庫収納品管理システムの概略構成を示すブロック図である。
【図２】本発明の第１実施例となる冷蔵庫収納品管理システムの動作の流れを示すフローチャートである。
【図３】本発明の第１実施例となる食品管理の流れを示すフローチャートである。
【図４】発明の第１実施例となる消費期限がせまっていることを報知するタッチパネルの一例である。
【図５】本発明の第２実施例となる冷蔵庫収納品管理システムの動作の流れを示すフローチャートである。
【図６】本発明の第３実施例となる冷蔵庫収納品管理システムの概略構成を示すブロック図である。
【図７】従来例の冷蔵庫収納品管理システムの一例を示すブロック図である。
【図８】従来例の冷蔵庫収納品管理システムの他の一例を示すブロック図である。
【発明を実施するための形態】
【００１３】
以下、本発明の実施例を示す図面に基づいて説明する。その他の構成については、冷蔵庫の一般的な技術が適用できることはいうまでもない。
【００１４】
（実施例１）
図１は、本発明の第１実施例となる冷蔵庫収納品管理システムの概略構成を示すブロック図である。
【００１５】
本実施例の冷蔵庫収納品管理システムは、家庭内には、冷蔵庫１があり、冷蔵庫１には非接触ＩＣ通信手段２、収納品情報記憶手段３及び収納品情報表示手段４が設けられている。店舗には、商品販売システム５があり、ＰＯＳ端末装置６及びＰＯＳ端末装置６に接続された商品識別情報読取手段７と非接触ＩＣ通信手段８及び商品情報記録手段９にて構成されている。商品の購入者は、携帯情報端末１０を持っており、携帯情報端末１０は、非接触ＩＣ通信手段１１、情報記憶手段１２と表示手段１３を備えている。非接触ＩＣ通信手段２、８、１１は、非接触通信を行う非接触通信手段であり、詳細は後述する。
【００１６】
店舗には、商品販売システム５が導入されており、買い物客で来店した購入者が購入した商品代金の精算用端末装置として、ＰＯＳ端末装置６が設置されている。一般的に店舗で販売される商品には、商品の識別情報を示すバーコードが記載されているか、バーコードをプリントしたラベルが貼られている。工場にて生産され流通される商品には、商品の識別情報を示す商品識別コードと呼ばれるバーコードが記載され、店舗で作られる弁当や惣菜、生肉、生魚等の商品には、インストアコードと呼ばれる店舗独自のバーコードのラベルが貼られることが多い。インストアコードには商品の識別情報だけでなく、個々の商品の識別も可能であり、価格や重量、消費期限等のデータも含まれている場合がある。店員は、ＰＯＳ端末装置６を用いて、商品に記載されたもしくはラベル貼付されたバーコードをバーコードスキャナである商品識別情報読取手段７で読み取る。本発明では、ＰＯＳ端末装置６としているが、ＰＯＳ端末装置６と同じ商品識別情報読取機能を備えているキャッシュレジスター等でもよい。
【００１７】
また、ＰＯＳ端末装置６には非接触ＩＣ通信手段８が接続される。非接触ＩＣ通信手段８はＮＦＣ（Near Field Communication）やＦｅｌｉｃａとして知られる無線通信の規格（ＩＳＯ／ＩＥＣ  １８０９２又はＩＳＯ／ＩＥＣ  ２１４８１）を利用する通信手段である。非接触ＩＣ通信手段８には、ＩＣチップとアンテナが埋め込まれており、他の非接触ＩＣ通信手段とかざすだけで情報を転送することができるものである。通常、ＰＯＳ端末装置に接続された非接触ＩＣ通信手段は、電子マネーによる商品の支払精算に用いられることが多く、Ｓｕｉｃａ（登録商標）、ＷＡＯＮ（登録商標）、Ｅｄｙ（登録商標）等の電子マネーサービスが有名である。
【００１８】
ＰＯＳ端末装置６に接続された商品情報記録手段９は、商品データベースであり、各商品の商品識別コード、インストアコード、商品名、価格、重量、消費期限等の情報が記録されている。
【００１９】
ＰＯＳ端末装置６は、商品識別情報読取手段７で読み取った商品識別情報を基に、商品販売システム５内の商品情報記録手段９に商品情報の照会を行う。具体的には、ＰＯＳ端末装置６は、ＰＯＳ端末装置６に接続された商品識別情報読取手段７でバーコードの商品識別情報を読取り、次に商品情報記録手段９内の商品データベースと照合し、読み取った商品の商品情報である商品名と価格と消費期限を入手する。商品データベース内に消費期限情報がない商品に関しては、商品名と価格のみとなる。商品データベースから入手した商品情報のうち、商品名と消費期限の情報は、非接触ＩＣ通信手段８にて購入者の携帯情報端末１０に送信される。
【００２０】
非接触ＩＣ通信手段８は、ＰＯＳ端末装置６の外面もしくはＰＯＳ端末装置６とは別筐体として配置している。
【００２１】
購入者は、携帯情報端末１０を所有している。携帯情報端末１０は、非接触ＩＣ通信手段１１、情報記憶手段１２及び表示手段１３を備えた、携帯電話又はスマートフォン等の多機能携帯端末である。携帯情報端末１０の非接触ＩＣ通信手段１１は、ＰＯＳ端末装置６に接続された非接触ＩＣ通信手段８及び冷蔵庫１に設けられた非接触ＩＣ通信手段２とかざすことにより通信が行われ、非接触ＩＣ通信手段８から商品情報を受信し、受信した商品情報を非接触ＩＣ通信手段２に送信することができる。
【００２２】
次に冷蔵庫１について説明する。冷蔵庫１には、非接触ＩＣ通信手段２が設けられており、携帯情報端末１０とかざして通信を行うことにより、携帯情報端末１０から商品情報である商品名と消費期限等を収納品情報として受信することができる。
【００２３】
収納品情報記憶手段３は、非接触ＩＣ通信手段２が受信した商品名と消費期限を記憶する。収納品情報記憶手段３は冷蔵庫１に収納されている商品の収納品情報を記憶する。収納品情報には、商品名、個数、消費期限、購入日、貯蔵室情報が含まれる。商品名、個数、消費期限、購入日の情報は、携帯情報端末１０から入手した情報である。携帯情報端末１０からの商品情報に消費期限が含まれていない商品に関しては、冷蔵庫１が商品名から消費期限を推定し収納品情報記憶手段３に記憶させる。例えば、購入した卵に消費期限が無い場合には、消費期限を購入日から１週間と推定する。貯蔵室情報は、冷蔵庫１が商品名から購入者が冷蔵室、野菜室、冷凍室のどこに収納するかを推定し、収納品情報記憶手段３に記憶させたものである。
【００２４】
収納品情報表示手段４は、冷蔵庫１の扉に設置されており、収納品情報記憶手段３に記憶された収納品情報の表示を行う。収納品情報表示手段４にて各収納品の消費期限を表示することから、冷蔵庫１の各扉を開けなくても、冷蔵庫１に何が収納されているか、その収納品の消費期限はいつなのかを確認することができる。また、消費期限の近づいた収納品がある場合や消費期限を過ぎた場合には、収納品情報表示手段４が購入者に報知を行う。収納品情報表示手段４は表面にタッチパネルを備えており、購入者はタッチパネルを操作することにより、収納品の削除や消費期限の延期の操作を行うことができる。
【００２５】
本発明の冷蔵庫収納品管理システムは、上述した構成とすることにより、店舗で購入した商品の商品名や消費期限を、ＰＯＳ端末装置６から携帯情報端末１０を介して冷蔵庫１に伝え、購入した商品の消費期限を冷蔵庫１で表示することが可能になる。
【００２６】
図２は、本発明の第１実施例となる冷蔵庫収納品管理システムの動作の流れを示すフローチャートである。購入者が、店舗で購入した商品の情報を、携帯情報端末１０を介して、家庭にある冷蔵庫１に記憶させるまでのフローチャートである。
【００２７】
初めに、ステップＳ２０１で、購入者は、店舗で商品を購入する。ステップＳ２０２で、店舗に設置されたＰＯＳ端末装置６の商品識別情報読取手段７でバーコードを読取り、ＰＯＳ端末装置６に接続された商品情報記録手段９に商品情報を照会する。商品情報は、購入者が購入した商品の商品名、消費期限等のデータである。ステップＳ２０３で、購入した複数の商品の商品情報をデータ一覧にしたデータリストを作成する。ステップＳ２０４で、Ｓ２０３で作成したデータリストを非接触ＩＣ通信手段８から購入者の携帯情報端末１０に送信する。携帯情報端末１０への送信は、かざすことにより通信を行う。携帯情報端末１０が電子マネー機能を搭載している場合には、購入者が購入商品の電子マネー支払いをするために携帯情報端末１０を非接触ＩＣ通信手段８にかざした時に、商品情報の通信も行うようにすれば、一回のかざす動作で済み、利便性が向上する。
【００２８】
ステップＳ２０５で、携帯情報端末１０は、店舗から商品情報のデータリストを受信し、ステップＳ２０６で、携帯情報端末１０は、商品情報のデータリストを記憶する。ステップＳ２０７で、携帯情報端末１０は、冷蔵庫１に商品情報のデータリストを送信する。携帯情報端末１０から冷蔵庫１への送信もかざして通信を行うことにより、簡単に購入した商品情報を送ることができる。
【００２９】
ステップＳ２０８で、冷蔵庫１は、携帯情報端末１０から商品情報のデータリストを受信し、ステップＳ２０９で、冷蔵庫１は、商品情報のデータリストを冷蔵庫内の収納品情報記憶手段３に記録する。
【００３０】
図３は、本発明の第１実施例となる食品管理の流れを示すフローチャートである。食品管理動作は毎日決められた時刻に実行される。また、携帯情報端末１０をかざすことにより、新しい商品情報の通信を受けた時、冷蔵庫１の前に人を検知した場合に、実行するようにしてもよい。
【００３１】
ステップＳ３０１で、冷蔵庫１は内蔵された時計機能から現在の日時を入手する。ステップＳ３０２で、冷蔵庫１の収納品情報記憶手段３に記憶している収納品情報から消費期限データを検索する。消費期限は、店舗から入手した商品情報データである。もし、商品情報データに消費期限が無ければ、収納品情報記憶手段３に購入日を入力した日、あるいは商品情報データを入力した日から起算し、当日までの日時から消費期限を自動設定する。食品ごとの消費期限を決めておき、その食品の商品情報データで入力された時、品目毎に消費期限が表示されるようにする。野菜等で消費期限のデータが無い場合、収納品情報記憶手段３で、野菜等の種類に基づき、購入日から起算した消費期限を自動設定し、収納品情報表示手段４に表示するようにする。一例として、キャベツの消費期限は、５日に自動設定する。
【００３２】
ステップＳ３０３で、消費期限を検索し、現在の日時と消費期限が近い食品である場合はＳ３０４へ、消費期限が先の食品の場合は、食品管理動作終了にステップがスキップする。ステップＳ３０４で、検索された品目の商品名、個数、消費期限までの日数といった情報を収納品情報表示手段４に表示して、消費期限が迫っていることを表示する。表示方法については、後述の図４にて説明する。
【００３３】
ステップＳ３０４の消費期限の報知に対して、ステップＳ３０５で、購入者が収納品情報表示手段４に表示された削除ボタンを押した場合Ｓ３０７へ進み、保留ボタンを押した場合Ｓ３０６へ進む。ステップＳ３０６で、購入者が削除ボタンを押した場合、その食品は、リストから削除される。保留ボタンは、該当する食品を保留食品として登録する。保留食品は、所定の日数後、たとえば２日後に保留食品であることを、品目に橙色等の色付きで表示して報知される。保留食品の消費期限は、所定の日数後もそのままの期限で表示される。一例として、肉を保留食品として登録した場合、消費期限が、「あと１日」が、２日後もそのまま「あと１日」の表示となる。特に野菜の場合、傷み具合がずれることがあるので、消費期限を延期したい場合、保留ボタンを押すことで消費期限を２日後に保留食品であることが表示され、２日分延期することができる。ステップＳ３０６で、保留ボタンを押した場合、その食品は保留として登録される。
【００３４】
品目別に削除又は保留を確定させた後に、ステップＳ３０７で更新ボタンを押すことで、食品のデータを更新し、食品管理動作は、終了する。
【００３５】
図４は、消費期限せまっていることを報知する収納品情報表示手段４の一例である。収納品情報表示手段４は、タッチパネル入力が可能であり、データ入力と消費期限の報知等の入力と表示が同時にできるものである。また、収納品情報を表示しながら、収納品の削除又は保留が容易に操作可能になっている。収納品情報表示手段４が表示するタイミングは、赤外線センサを冷蔵庫１の前面の一部に設け、人を感知した時に表示し、感知しなくなり所定の時間を経過後に表示を止める。又は、冷蔵庫１の扉の開閉時に所定の時間だけ表示してもよい。又は、手動で、収納品情報表示手段４のタッチパネル４００に触れた時に表示するようにしてもよい。又は、予め設定された所定の時間、又は、所定時間間隔で表示するようにしてもよい。又は、報知の開始から所定時間が経過した場合、報知動作を停止するようにしてもよい。
【００３６】
タッチパネル４００の最上部にタイトル４０１があり、文字「消費期限がせまっています」を表示し、この右側にダウンメニュ４０１ａがある。プルダウンメニュ４０１ａをタッチし、タイトルの変更することで、文字「保留食品」、文字「消費期限が過ぎています」等に切換えが可能である。一例として、タイトル４０１で、文字「消費期限がせまっています」を選択した場合、下側に該当食品のリスト一覧４０２が表示される。リスト一覧４０２の表示において、タイトル列の左から右の順に項目が、「処理」、「品目」、「個数」、「貯蔵室」、「消費期限」と表示されている。次に、行の上から下の順に項目が、一連番号で数字１、２、３と連続に表示されている。リスト一覧４０２の表示は、一例である。項目「処理」の下の行である１には、左から右の順に項目「品目」には、「キャベツ」、次に項目「個数」には、「２」、次に項目「貯蔵室」には、「野菜室」、次に項目「消費期限」には、「０日」が表示されている。同時に、一覧リスト４０２の左下側には、品目４０４があり、品目４０４の右側に「キャベツ」が表示されている。この表示の右側に個数４０５があり、個数４０５の右側に「２」が表示されている。リスト一覧４０２の左下には、必要に応じて表示領域を移動する垂直スクロールバー４０３がある。表示できていない食品を上下にスクロールすることで、表示可能である。垂直スクロールバー４０３を下にスクロールすることで、項目「処理」の数字５以降を表示することができる。
【００３７】
キャベツが消費されたのであれば、削除４０６をタッチすれば、キャベツを削除できる。１個のみ消費したのであれば、表示「個数」の右側にあるプルダウンメニュ４０５ａをタッチして、個数を変更し、削除４０６をタッチすることで個数を２個から１個に変更できる。変更が無ければ、保留４０７をタッチすることで、品目、個数及び消費期限は、現状のデータの状態で翌日まで、保留させる。更新４０８をタッチすることで、冷蔵庫１内の食品のデータが更新される。
【００３８】
リスト一覧４０２の左端の行の「処理」欄の丸をタッチすることで、黒丸４０２ａに変わる。「処理」欄の丸にタッチしていない場合は、黒丸４０２ａでない線だけの丸４０２ｂである。リスト一覧４０２のタイトル列の項目「貯蔵室」の右側にあるプルダウンメニュ４０２ｃをタッチすることで、並べ替えと、特定の貯蔵室だけ表示するフィルタができる。同様に、タイトル列の項目「消費期限」の右側にあるプルダウンメニュ４０２ｄをタッチすることで、消費期限の少ない順番又は逆順に並べ替えと、特定の貯蔵室だけ表示するフィルタができる。
【００３９】
なお、リスト一覧４０２の消費期限の状況により、自動的に色表示、あるいは、色表示及びフラッシングさせてもよい。あるいは、音声やブザー等で報知してもよい。
一例として、それぞれの品目の消費期限のセルを下記にする。
【００４０】
１．消費期限：  ０日の場合、赤色表示
２．消費期限：  あと１日からあと２日の場合、黄色表示
３．消費期限：  あと３日以上の場合、青色表示
なお、購入者が食品の品目や傷み具合から判断して期限を決めて、色表示等を自動で無く、手入力としてもよい。
【００４１】
（実施例２）
図５は、本発明の第２実施例となる冷蔵庫収納品管理システムの動作の流れを示すフローチャートである。図２のステップＳ２０９で、データリストを冷蔵庫１の庫内の収納品情報として記録するまでのステップは、同じである。次にステップＳ５０９で、データリストを更新する。ステップＳ５１０で、データリストを送信する。次に携帯情報端末１０は、ステップＳ５１１で、データリストを受信する。ステップＳ５１２で、データリストを更新する。図２と同じステップＳ２０６で、データリストを記憶する。以下、図２と同じステップＳ２０７、ステップＳ２０８、ステップＳ２０９と続く。
【００４２】
収納品情報は、冷蔵庫１の収納品情報記憶手段３と携帯情報端末１０双方に記録される。収納品の管理操作は冷蔵庫１と携帯情報端末１０双方で行うことが可能であるため、冷蔵庫１と携帯情報端末１０間で情報の差異が生じるが、収納品情報の相互に送受信して最新の情報に更新させる。更新のタイミングは、１日１回以上所定の時刻に行うか、必要に応じて、都度手動で行うようにしてもよい。更新日時が最新情報を優先してデータを抽出させることで、最新の冷蔵庫１の庫内の収納品情報が冷蔵庫１と携帯情報端末１０の双方に記録できる。
【００４３】
したがって、購入者は、店舗に携帯情報端末１０を持参するだけで冷蔵庫１の庫内の食品在庫状況が把握できる。購入者は、店舗にいて料理の献立メニュを変更する場合、冷蔵庫１の食品在庫状況を携帯情報端末１０で即座に確認できるので、献立メニュの変更が容易にでき、購入すべき食品を過不足なく購入できる。
【００４４】
なお、携帯情報端末１０で、冷蔵庫１の庫内の収納品情報が共有できるので、冷蔵庫１と同じタッチパネル４００と収納品情報記憶手段３を携帯情報端末１０に設けてもよい。設けることで、携帯情報端末１０は、冷蔵庫１と同じく商品品目の削除と保留が行えるようになり、利便性の向上が図れる。
【００４５】
（実施例３）
店舗がネットスーパーの場合について説明する。ネットスーパーは、既存のスーパーマーケットや店舗を持たない宅配業者がインターネットで注文を受け付けて、注文食品を家庭まで即日配達する宅配サービスである。購入者は、店舗に行かずに、インターネットを利用して、携帯情報端末１０からネットスーパーに注文する。その注文明細を携帯情報端末１０でデータ変換して、店舗と同じ商品情報に加工する。携帯情報端末１０の非接触ＩＣ通信手段１１にて冷蔵庫１に送信する。以下は、図１と同じ、購入者の携帯情報端末１０と家庭での冷蔵庫１での情報の送受信となる。なお、ネットスーパーへの注文は、携帯情報端末１０としているが、パソコンからでもよい。この場合、パソコンからの注文情報を携帯情報端末１０に送信することで、携帯情報端末１０からの注文と同様にすることができる。
【００４６】
店舗に行かずに、インターネットを利用して、携帯情報端末１０からネットスーパーに注文するので、買い物に行く時間が不要である。携帯情報端末１０から注文するので、家庭のどこからでも可能である。店舗と同様に商品情報を入手できるので、便利である。
【００４７】
（実施例４）
図６は、本発明の第４実施例となる冷蔵庫収納品管理システムの概略構成を示すブロック図である。
【００４８】
携帯電話又はスマートフォン等の携帯情報端末２０は、非接触ＩＣ通信手段１１と同時に、無線通信手段２１も併せ備えている。無線通信手段２１は携帯情報端末２０と冷蔵庫２２との通信を行うものであり、Ｗｉ−Ｆｉ（登録商標）、ＷｉＭＡＸ（登録商標）、Ｂｌｕｅｔｏｏｔｈ（登録商標）、ＺｉｇＢｅｅ（登録商標）等の方式により、携帯情報端末２０と冷蔵庫２２との間で情報をやりとりする。冷蔵庫２２は、インターネット回線に接続させて、Ｗｉ−Ｆｉ等の基地局として、携帯情報端末２０等に接続してもよい。携帯情報端末２０と冷蔵庫２２とは、家庭内のホームネットワークの一環として接続してもよい。一方、冷蔵庫２２は、通信手段として無線通信手段２３を備えている。通信方式は携帯情報端末２０と同じである。
【００４９】
実施例４と実施例１との相違は、購入者の携帯情報端末２０と冷蔵庫２２との通信手段が非接触ＩＣ通信以外の無線通信である。携帯情報端末２０と冷蔵庫２２との通信手段を無線通信にすることで、購入者が家庭に入った時に携帯情報端末２０の上述した無線通信手段２１が動作して、冷蔵庫２２の無線通信手段２３に自動的に購入した商品の商品情報が送信されるようにする。冷蔵庫２２は、実施例１と同じく、収納品情報記憶手段３と収納品情報表示手段４によって、収納品情報を表示する。したがって、購入者は、簡便に冷蔵庫２２内の最新の収納品情報を確認することができる。一方、冷蔵庫２２の収納品を収納品情報表示手段４で削除又は保留した場合、携帯情報端末２０の無線通信手段２１に自動的に修正した商品の商品情報が送信されるので、携帯情報端末２０で冷蔵庫２２内の最新の収納品情報が確認することができる。したがって、購入者は、簡便に冷蔵庫２２内の最新の収納品情報を確認することができ、店舗にて携帯情報端末２０で収納品情報を確認し、購入すべき食品を過不足なく購入できる。
【００５０】
以上、第１〜４実施例について説明したが、ＰＯＳ端末装置と携帯情報端末との通信手段は、非接触ＩＣチップを用いた非接触ＩＣ通信手段の代わりに、赤外線で送受信する赤外線通信を用いてもよい。同様に携帯情報端末と冷蔵庫との通信手段にも、赤外線通信を用いてもよい。
【００５１】
また、ＰＯＳ端末装置と携帯情報端末の通信手段は、マイクロチップ等を用いて非接触でデータを読み取り・書き込みのできる機能があればよく、ＰＯＳ端末装置の商品識別情報読取手段は、ＩＣタグを用いてＩＣタグの情報を読み取る読取手段を用いてもよい。ＩＣタグは、ＩＣチップと小型のアンテナを埋め込まれているので、記憶された大容量の情報を電波によって直接触れずに読み取ることができ、店舗で購入者に必要な情報を大量に通信することができる。バーコードの場合、商品に貼られたバーコードが変形や曲がっていると読取が難しいが、ＩＣタグでは、簡単に読取ができる。
【００５２】
また、ＰＯＳ端末装置は、クラウドコンピューティングを利用し、可搬型のスマートフォン等の携帯情報端末やタブレット端末を用いていてもよい。ＰＯＳ端末装置が、可搬型であるので、ＰＯＳ端末装置を購入者の携帯情報端末に近づけるか、両方の機器を近づけてもよくなるので、便利になる。購入者が、現金をだすので追われている場合には、携帯情報端末をレジテーブル又はレジ台に置いて、ＰＯＳ端末装置を近づけて商品情報を携帯情報端末に記憶させることができ、時間の節約になる。また、ＰＯＳ端末装置と同様に携帯情報端末やタブレット端末は、クラウドコンピューティングを利用して、クラウドシステムで両方の機器を接続して、両方の機器のインターネットアドレス（ＩＰアドレス）を利用することで、商品情報の入手を行ってもよい。
【００５３】
また、冷蔵庫の扉前面の収納品情報表示手段４近傍に携帯情報端末を収納する収納部材を設けてもよい。不図示の収納部材は、プラスチック、金属等からなる枠材で構成されており、上部が解放されている。この解放された上部から携帯情報端末を下方にスライドさせ、収納部材に収納することができる。携帯情報端末を収納した場合に、前方への落下及びずれを防止することができる。更に充電が可能なように、非接触で充電を行うことができる非接触充電手段を携帯情報端末の裏側に設けてもよい。もしくは、携帯情報端末は、充電器に接続して、充電してもよい。携帯情報端末を充電の有無にかかわらず、携帯情報端末の表示手段で、商品情報を表示してもよい。なお、収納部材の代わりに携帯情報端末を吊り下げ、冷蔵庫に固定する取付け具を用いてもよい。
【００５４】
冷蔵庫の収納品情報表示手段４で表示された購入商品は、食品以外の商品も表示される場合は、収納品情報表示手段４を用いて、タッチパネル４００に食品以外の品目が表示されても、品目削除の操作をできるようにしてもよい。
【００５５】
また、購入者が、携帯情報端末を店舗に持って行くのを忘れた場合、携帯情報端末を利用できるようになった段階で、携帯情報端末から商品情報をデータ入力できるようにする。又、購入者は、冷蔵庫についても、商品情報をデータ入力できるようにする。
【００５６】
なお、食品は、消費期限で説明しているが、賞味期限を表示している食品は、賞味期限を用いて管理してもよい。
【００５７】
また、冷蔵庫の収納品の貯蔵室は、野菜室と冷蔵室だけとしているが、冷凍室も入れてもよい。冷凍食品は、長期間保存が可能なので上記実施例では、入れてないが、加えてもよい。貯蔵室に冷凍室を追加し、食品に冷凍食品を追加した場合について説明する。冷凍食品は、長期間保存が可能で、賞味期限を用いている場合が多いので、購入日からの期限として、３か月、又は６か月等に設定してもよい。冷凍食品を収納品の品目に加えることで、冷蔵庫の庫内全体の収納品がわかるので、さらに便利となる。
【００５８】
以上で説明した実施例は、あくまで本発明を実施するに当たっての一例であって、本発明はそれらに限定されるものではない。本発明の実施例に開示された技術的手段に周知慣用技術を適宜組み合わせて得られる態様についても本発明の実施例となる技術的範囲に含まれる。
【符号の説明】
【００５９】
１、２２  冷蔵庫
２、８、１１  非接触ＩＣ通信手段
３  収納品情報記憶手段
４  収納品情報表示手段
５  商品販売システム
６  ＰＯＳ端末装置
７  商品識別情報読取手段
９  商品情報記録手段
１０、２０  携帯情報端末
１２  情報記憶手段
１３  表示手段
２１、２３  無線通信手段
４００  タッチパネル
【図１】
2014085043.tif 000003
【図２】
2014085043.tif 000004
【図３】
2014085043.tif 000005
【図４】
2014085043.tif 000006
【図５】
2014085043.tif 000007
【図６】
2014085043.tif 000008
【図７】
2014085043.tif 000009
【図８】
2014085043.tif 000010